(57)【要約】【課題】ベース部に対して第１ケース体及び第２ケース体の固定を安定させることが可能になると共に、各ケース体をコンパクトに重ねて配置することが可能な遊技機の提供を目的とする。【解決手段】本発明の遊技機によれば、第２ケース体７０は、第１ケース体６０のケース間係合孔６６Ａだけでなく、第１ケース体６０を貫通する突部挿通部６５に挿通したケース挿通突部５５によっても固定されているので、第１ケース体６０とベース部５２Ｅとの間にかかる負荷を低減させることができる。これにより、第１ケース体６０とベース部５２Ｅとの間の固定部が変形して、第２ケース体７０と共に第１ケース体６０から外れる事態を減らすことができる。また、ケース挿通突部５５がケース貫通空間６５Ｃの奥部に受容された状態で固定されるので、第１ケース体６０及び第２ケース体７０をよりコンパクトに重ねて配置可能となる。【選択図】図１６
2008295639.tif 000002
【特許請求の範囲】
【請求項１】
遊技機構成部材を収容可能な第１ケース体を、ベース部に重ねて固定すると共に、更にその第１ケース体に重ねて別の遊技機構成部材を収容可能な第２ケース体を配置し、かつ、それら第１ケース体、第２ケース体及びベース部を一体に固定した遊技機において、
前記第１ケース体に形成され、前記第１ケース体と前記第２ケース体との重ね合わせ方向であるケース重ね合わせ方向で、前記第１ケース体を貫通すると共に、前記ケース重ね合わせ方向と直交した第１直交方向で前記第１ケース体の一側面に開放したケース貫通空間を内側に有する突部挿通部と、
前記ベース部及び前記第２ケース体の一方に設けられて他方に向かって突出し、前記ケース貫通空間の側面開口を通って前記ケース貫通空間の奥部に受容可能であると共に、先端部が前記ベース部及び前記第２ケース体の他方に固定されたケース挿通突部と、
前記ベース部と前記第１ケース体とに設けられ、前記ケース挿通突部を前記ケース貫通空間の側面開口から奥部に受容する過程で互いに係合して、前記ベース部と前記第１ケース体とを前記ケース重ね合わせ方向で固定するスライド係合機構と、
前記ベース部に設けられ、前記第１直交方向のうち前記ベース部と前記第１ケース体とが前記スライド係合機構によって固定された第１ケース固定位置に前記第１ケース体を位置決め可能な移動規制部とを備えたことを特徴とする遊技機。
【請求項２】
前記ケース挿通突部を前記ケース貫通空間の側面開口から奥部に受容する過程で弾性変形しかつ前記第１ケース体が前記第１ケース固定位置に配置されたときに復元して前記第１ケース体を係止する係止爪を備えたことを特徴とする請求項１に記載の遊技機。
【請求項３】
前記スライド係合機構は、前記第１ケース体及び前記ベース部の一方の壁部を貫通した連結孔と、他方の壁部から前記連結孔に向かって突出し、先端部が前記第１直交方向に屈曲した連結フックとからなり、
前記第１直交方向で前記ケース挿通突部を前記ケース貫通空間の側面開口の外側から対向させた位置で前記第１ケース体を前記ベース部に重ね合わせたときに、前記連結フックが前記連結孔に挿入されると共に、前記ケース挿通突部を前記ケース貫通空間の側面開口から奥部に受容したときに、前記連結フックの先端部が前記連結孔の奥部に係止して前記第１ケース体が前記ベース部に対して前記ケース重ね合わせ方向で離脱不能に固定されることを特徴とする請求項２に記載の遊技機。
【請求項４】
前記連結孔及び前記連結フックは、複数備えられかつ、前記ベース部に対して前記第１ケース体が正規の位置に配置された場合のみに全ての前記連結孔に全ての前記連結フックが挿入可能になるように配置されたことを特徴とする請求項３に記載の遊技機。
【請求項５】
前記移動規制部は、前記ベース部から起立したリブ構造をなし、
前記スライド係合機構は、前記第１ケース体及び前記移動規制部の一方の壁部を貫通したスライド結合孔と、他方の壁部から突出し、前記第１直交方向で前記スライド結合孔に挿入されたスライド係合突部とからなり、
前記スライド結合孔への前記スライド結合突部の挿入により、前記第１ケース体が前記ベース部に対して前記ケース重ね合わせ方向で離脱不能に固定されたことを特徴とする請求項２乃至４の何れかに記載の遊技機。
【請求項６】
前記第２ケース体及び前記第１ケース体には、互いに固定されるケース間固定部が備えられたことを特徴とする請求項１乃至５の何れかに記載の遊技機。
【請求項７】
前記ベース部及び前記第２ケース体の一方に設けられて他方に向かって突出し、他方に固定されると共に、前記第１ケース体の側方に配置されたケース固定突部を備えたことを特徴とする請求項１乃至６の何れかに記載の遊技機。
【請求項８】
前記第１ケース体には、内部空間を比較的広い大空間部屋と比較的狭い小空間部屋とに区画する空間区画壁が備えられ、前記突部挿通部は、前記第１ケース体のうち前記小空間部屋を前記ケース貫通空間が貫通するように形成されたことを特徴とする請求項１乃至７の何れかに記載の遊技機。
【請求項９】
前記遊技機構成部材は遊技機を電気的に作動させる電気的遊技部材であり、
前記ベース部は前記第１ケース体、前記第２ケース体の少なくともどちらか一方の前記電気的遊技部材と接続して作動する電気的遊技部材を覆うカバー体の一部からなり、
前記第１ケース体に収容される前記電気的遊技部材は少なくとも前記第２ケース体に収容される前記電気的遊技部材と接続されて作動することを特徴とする請求項１乃至８の何れかに記載の遊技機。
【請求項１０】
前記ケース挿通突部の先端部は螺子によって固定されたことを特徴とする請求項１乃至９の何れかに記載の遊技機。
【発明の詳細な説明】
【技術分野】
【０００１】
本発明は、遊技機構成部材を収容した第１ケース体及び第２ケース体をベース部に重ねて備えた遊技機に関する。
【背景技術】
【０００２】
従来、この種の遊技機では、第１ケース体をベース部に重ねて固定し、その第１ケース体に第２ケース体を重ねて固定した構造になっていた。即ち、第１ケース体に第２ケース体を固定した状態で、その第１ケース体をベース部に着脱することが可能になっていた（例えば、特許文献１参照）。
【特許文献１】特開２００４−２１５８３８号公報（［００５１］、［００５２］、第４図）
【発明の開示】
【発明が解決しようとする課題】
【０００３】
しかしながら、上記した従来の構造の遊技機では、第１ケース体及び第２ケース体にかかる自重や振動等の負荷が第１ケース体とベース部との間の固定部に集中するため、その固定部が変形して、第２ケース体と共に第１ケース体がベース部から外れる事態が生じ得た。
【０００４】
これに対し、第２ケース体をベース部に直接固定するために、例えば、ベース部のうち第１ケース体の設置スペースをベース部の外縁部より内側に配置してベース部の外縁部に沿った支柱設置スペースを設け、そこから起立した複数の支柱の先端に第２ケース体を固定する構成が考えられる。しかしながら、このような構成では、支柱設置スペースのうち支柱が起立した部分以外が無駄になりケース全体が大きくなっていた。
【０００５】
本発明は、上記事情に鑑みてなされたもので、ベース部に対して第１ケース体及び第２ケース体の固定を安定させることが可能になるとともに、各ケース体をコンパクトに重ねて配置することが可能な遊技機の提供を目的とする。
【課題を解決するための手段】
【０００６】
上記目的を達成するためになされた請求項１の発明に係る遊技機は、遊技機構成部材を収容可能な第１ケース体を、ベース部に重ねて固定すると共に、更にその第１ケース体に重ねて別の遊技機構成部材を収容可能な第２ケース体を配置し、かつ、それら第１ケース体、第２ケース体及びベース部を一体に固定した遊技機において、第１ケース体に形成され、第１ケース体と第２ケース体との重ね合わせ方向であるケース重ね合わせ方向で、第１ケース体を貫通すると共に、ケース重ね合わせ方向と直交した第１直交方向で第１ケース体の一側面に開放したケース貫通空間を内側に有する突部挿通部と、ベース部及び第２ケース体の一方に設けられて他方に向かって突出し、ケース貫通空間の側面開口を通ってケース貫通空間の奥部に受容可能であると共に、先端部がベース部及び第２ケース体の他方に固定されたケース挿通突部と、ベース部と第１ケース体とに設けられ、ケース挿通突部をケース貫通空間の側面開口から奥部に受容する過程で互いに係合して、ベース部と第１ケース体とをケース重ね合わせ方向で固定するスライド係合機構と、ベース部に設けられ、第１直交方向のうちベース部と第１ケース体とがスライド係合機構によって固定された第１ケース固定位置に第１ケース体を位置決め可能な移動規制部とを備えたところに特徴を有する。
【０００７】
請求項２の発明は、請求項１に記載の遊技機において、ケース挿通突部をケース貫通空間の側面開口から奥部に受容する過程で弾性変形しかつ第１ケース体が第１ケース固定位置に配置されたときに復元して第１ケース体を係止する係止爪を備えたところに特徴を有する。
【０００８】
請求項３の発明は、請求項２に記載の遊技機において、スライド係合機構は、第１ケース体及びベース部の一方の壁部を貫通した連結孔と、他方の壁部から連結孔に向かって突出し、先端部が第１直交方向に屈曲した連結フックとからなり、第１直交方向でケース挿通突部をケース貫通空間の側面開口の外側から対向させた位置で第１ケース体をベース部に重ね合わせたときに、連結フックが連結孔に挿入されると共に、ケース挿通突部をケース貫通空間の側面開口から奥部に受容したときに、連結フックの先端部が連結孔の奥部に係止して第１ケース体がベース部に対してケース重ね合わせ方向で離脱不能に固定されるところに特徴を有する。
【０００９】
請求項４の発明は、請求項３に記載の遊技機において、連結孔及び連結フックは、複数備えられかつ、ベース部に対して第１ケース体が正規の位置に配置された場合のみに全ての連結孔に全ての連結フックが挿入可能になるように配置されたところに特徴を有する。
【００１０】
請求項５の発明は、請求項２乃至４の何れかに記載の遊技機において、移動規制部は、ベース部から起立したリブ構造をなし、スライド係合機構は、第１ケース体及び移動規制部の一方の壁部を貫通したスライド結合孔と、他方の壁部から突出し、第１直交方向でスライド結合孔に挿入されたスライド係合突部とからなり、スライド結合孔へのスライド結合突部の挿入により、第１ケース体がベース部に対してケース重ね合わせ方向で離脱不能に固定されたところに特徴を有する。
【００１１】
請求項６の発明は、請求項１乃至５の何れかに記載の遊技機において、第２ケース体及び第１ケース体には、互いに固定されるケース間固定部が備えられたところに特徴を有する。
【００１２】
請求項７の発明は、請求項１乃至６の何れかに記載の遊技機において、ベース部及び第２ケース体の一方に設けられて他方に向かって突出し、他方に固定されると共に、第１ケース体の側方に配置されたケース固定突部を備えたところに特徴を有する。
【００１３】
請求項８の発明は、請求項１乃至７の何れかに記載の遊技機において、第１ケース体には、内部空間を比較的広い大空間部屋と比較的狭い小空間部屋とに区画する空間区画壁が備えられ、突部挿通部は、第１ケース体のうち小空間部屋をケース貫通空間が貫通するように形成されたところに特徴を有する。
【００１４】
請求項９の発明は、請求項１乃至８の何れかに記載の遊技機において、遊技機構成部材は遊技機を電気的に作動させる電気的遊技部材であり、ベース部は第１ケース体、第２ケース体の少なくともどちらか一方の電気的遊技部材と接続して作動する電気的遊技部材を覆うカバー体の一部からなり、第１ケース体に収容される電気的遊技部材は少なくとも第２ケース体に収容される電気的遊技部材と接続されて作動するところに特徴を有する。
【００１５】
請求項１０の発明は、請求項１乃至９の何れかに記載の遊技機において、ケース挿通突部の先端部は螺子によって固定されたところに特徴を有する。
【発明の効果】
【００１６】
［請求項１の発明］
請求項１の遊技機では、第２ケース体がケース挿通突部によってベース部に直接固定されているので、第１ケース体及び第２ケース体にかかる自重や振動等による負荷が、従来のように第１ケース体とベース部との間の固定部分に集中して、その固定部分を変形させる事態を防ぐことができる。これにより、ベース部に対する第１ケース体及び第２ケース体の固定が安定する。しかも、本発明では、第１ケース体に貫通形成されたケース貫通空間に第２ケース体とベース部とを固定するためのケース挿通突部が受容されるので、ベース部のうちケース挿通突部の周囲のスペースの有効利用が図られ各ケース体をよりコンパクトに重ねて配置することができる。
【００１７】
また、第１ケース体をベース部に対して第１直交方向に移動させると、スライド係合機構によってベース部と第１ケース体とが固定されるとともに、ケース挿通突部がケース貫通空間の奥部に受容される。即ち、本発明によればベース部と第１ケース体との固定作業と、ケース挿通突部のケース貫通空間への受容作業とを同時に行うことができ、作業効率が向上する。
【００１８】
［請求項２の発明］
請求項２の構成によれば、係止爪は、ケース挿通突部がケース貫通空間の側面開口から奥部に受容される過程では弾性変形し、第１ケース体が第１ケース固定位置に配置されたときに復元して第１ケース体を係止するので容易に作業が行える。
【００１９】
［請求項３の発明］
請求項３の構成によれば、ベース部と第１ケース体との重ね合わせ面に設けた連通孔及び連結フックは、第１直交方向でケース挿通突部をケース貫通空間の側面開口の外側から対向させた位置で第１ケース体をベース部に重ね合わせたときに、連結フックが連結孔に挿入される。そして、ケース挿通突部をケース貫通空間の側面開口から奥部に受容したときに第１ケース体とベース部とが係止される。これにより、ベース部と第１ケース体とを容易に固定することができる。
【００２０】
［請求項４の発明］
請求項４の構成によれば、ベース部に対して第１ケース体が正規の位置に配置されない場合には、ベース部と第１ケース体との重ね合わせ面に複数備えた連結フックのうちの何れかの連結フックが連結孔に挿入されないので、ベース部と第１ケース体との重ね合わせ位置の間違いを防止することが可能となる。また、ベース部と第１ケース体とを固定する連結孔及び連結フックを複数備えたので、第１ケース体とベース部との間にかかる自重や振動等による負荷を分散することができる。
【００２１】
［請求項５の発明］
請求項５の構成によれば、第１ケース体とベース部の起立部分との互いの当接面に、スライド結合孔とスライド係合突部とを設けたので、スライド結合孔にスライド係合突部が挿入されると、第１ケース体がベース部に対してケース重ね合わせ方向で離脱不能に固定可能となる。また、第１ケース体とベース部との間にかかる自重や振動等による負荷を、スライド結合孔及びスライド係合突部によっても支持することが可能となる。
【００２２】
［請求項６の発明］
請求項６の構成によれば、第２ケース体及び第１ケース体の間にケース間固定部を備えたので、第２ケース体と第１ケース体とを固定することができる。
【００２３】
［請求項７の発明］
請求項７の構成によれば、ベース部と第２ケース体とを突部挿通部を挿通したケース挿通突部だけでなく、ケース固定突部によっても固定したので、第１ケース体とベース部との間にかかる自重や振動等による負荷を分散することができるとともに、より確実にベース部と第２ケース体とを固定することが可能となる。
【００２４】
［請求項８の発明］
請求項８の構成によれば、第１ケース体を貫通して形成された突部挿通部を、小空間部屋を貫通するように形成することにより、突部挿通部を空間区画壁で囲んだので、突部挿通部の強度を強くすることができる。また、第１ケース体のうち大空間部屋には第１ケース体に収容される遊技機構成部材が配置可能となるので、遊技機構成部材を大空間部屋の内壁によって位置決めすることが可能となる。
【００２５】
［請求項９の発明］
請求項９の構成によれば、カバー体に覆われた電気的遊技部材は、第１ケース体及び第２ケース体に収容された電気的遊技部材の少なくとも一方と接続されることにより作動させることができる。また、第１ケース体に収容された電気的遊技部材は、第２ケース体に収容された電気的遊技部材を接続することで作動させることができる。これにより、相互に制御し合う電気的遊技部材を、遊技機本体に隣接して配置することができる。
【００２６】
［請求項１０の発明］
請求項１０の構成のように、ケース挿通突部を固定螺子により螺子止めしてベース部と第２ケース体とを固定してもよい。これにより容易に固定することができ、また、容易に取り外すこともできる。
【発明を実施するための最良の形態】
【００２７】
以下、本発明の「遊技機」としてのパチンコ遊技機１０に係る一実施形態を、図１〜図１７に基づいて説明する。図１に示すように、パチンコ遊技機１０は、遊技球を誘導可能な誘導レール１２に囲まれた遊技領域Ｒ１を遊技板１１の前面に備え、その遊技領域Ｒ１をパチンコ遊技機１０の前面に備えた略円形のガラス窓９５Ｗを通して視認可能となっている。遊技領域Ｒ１の所定位置には、表示装置３２や各種入賞口１４Ａ，１４Ｂ，１５，２０，２１等の各種役物が備えられている。
【００２８】
表示装置３２は、遊技領域Ｒ１のうち向かって右上寄りに配置されている。表示装置３２の下側には、その左右方向の中央に、第１及び第２の始動入賞口１４Ａ，１４Ｂ、大入賞口１５及びアウト口１６が、上から順に間隔を開けて並べて設けられ、左右両側部には、誘導レール１２に沿って一般入賞口２０，２１及びサイドランプ２２，２２がそれぞれ設けられている。また、表示装置３２の左側には、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置３２等の役物以外に、遊技領域Ｒ１には、遊技球と当接して流下方向を様々に変化させることが可能な図示しない障害釘が分散配置されている。
【００２９】
また、図１に示すように、パチンコ遊技機１０前面のうち遊技領域Ｒ１の上方には、左右に１対のスピーカ１３Ａ，１３Ａが設けられ、遊技領域Ｒ１の下方には、上皿２６が設けられている。上皿２６は、前方に向かって膨出しており、その上皿２６の右側には、球貸し操作ボタン２５Ａと球貸し状態表示モニター２５Ｂとが並べて配置されている。
【００３０】
上皿２６の下方には、皿扉２９が取り付けられている。皿扉２９の前面中央には、パチンコ遊技機１０の前方に膨出して遊技球が貯留可能な下皿２８が設けられている。球抜きボタン２３を押圧操作すると、上皿２６に貯留された遊技球が下皿２８に排出される。皿扉２９のうち下皿２８の左側方には、遊技ボタン２５Ｄが設けられている。遊技ボタン２５Ｄを押圧すると、表示装置３２に変動表示されている画像、例えば、キャラクタ画像を、遊技者の任意のタイミングで停止させることができる。下皿２８の右側方には、下皿２８に貯留された遊技球をパチンコ遊技機１０の外部に排出するための球排出ボタン２５Ｃが設けられている。皿扉２９の右側部には、発射操作ノブ２７が備えられ、この発射操作ノブ２７を回動操作することで図示しない発射装置から遊技球が遊技領域Ｒ１に向かって発射される。
【００３１】
次に所要の各部位についてさらに詳説する。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球がパチンコ遊技機１０の前面に備えた上皿２６に払い出される。
【００３２】
始動ゲート１８は、遊技球が潜って通過可能な門形構造をなし、通過した遊技球は始動ゲート１８に内蔵された普通図柄始動スイッチ（図示せず）によって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００３３】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００３４】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３５】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３２において図柄が変動表示される。具体的には、表示装置３２には、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、中、右の順で各特別図柄３２Ａ，３２Ｂ，３２Ｃが停止表示される。このとき、例えば、全ての特別図柄３２Ａ，３２Ｂ，３２Ｃが同じ図柄、即ち、ぞろ目になった場合に、遊技が「大当たり状態」になる。なお、表示装置３２において特別図柄３２Ａ，３２Ｂ，３２Ｃが変動表示又は「大当たり状態」の最中に始動入賞口１４Ａ，１４Ｂに入賞した場合、その入賞球は最大で４個まで保留記憶され、特別図柄３２Ａ，３２Ｂ，３２Ｃが停止表示又は「大当たり状態」が終了すると、その保留記憶に基づいて再び、特別図柄３２Ａ，３２Ｂ，３２Ｃが変動表示される。
【００３６】
大入賞口１５は、横長矩形に形成されて、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３７】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００３８】
表示装置３２は、枠形構造をなした装飾枠３３の後方に、例えば、１５インチの液晶ディスプレイパネル３０（以下、単に「液晶パネル３０」という）を備えた構造になっている。そして、遊技板１１の後面１１Ｒに配置された後述する液晶ケース体５０（図４参照）によって、液晶パネル３０の後面が覆われている。なお、液晶パネル３０が本発明の「電気的遊技部材」に相当する。以上が遊技領域Ｒ１に備えた各種役物に関する説明である。
【００３９】
パチンコ遊技機１０の後面には、図２に示すように種々の部品が組み付けられた縦長矩形の機構板４９が固定されている。機構板４９の中央部には、遊技板１１の後面１１Ｒを後方に露出させた矩形開口４４が形成されている。機構板４９のうち上側部分には遊技球を貯留する遊技球タンク４５が組み付けられ、機構板４９の一側方には払出装置４６が設けられており、機構板４９の下側部分には払出制御装置４７と電源装置４８とが並んで設けられている。なお、払出装置４６は、遊技球タンク４５から遊技球誘導レール４５Ｒを通して遊技球を受け取り、払出制御装置４７からの指令に応じて所定数の遊技球を払い出す。
【００４０】
図３に示すように、遊技板１１の後面１１Ｒには、各種電子機器を収容した複数のケース体５０，６０，７０，８０が取り付けられている。詳細には、矩形板状の液晶パネル３０を収容した液晶ケース体５０と、図柄制御基板９１及び音声制御基板９２（図１０参照）を収容した第１ケース体６０と、サブ制御基板９５を収容した第２ケース体７０（図１２参照）とが前後方向で重なった状態で取り付けられており（図１７参照）、これら各ケース体５０，６０，７０の下方に、メイン制御基板（図示せず）を収容したメイン制御基板ケース体８０が取り付けられている。これら各ケース体５０，６０，７０，８０は、何れも透明な樹脂で構成されており、内部が視認可能となっている。また、これらの各ケース体５０，６０，７０，８０は、機構板４９の矩形開口４４の内側に配置され、図示しない樹脂製カバー８４Ｃによって後方から覆われている。そして、各電子機器がそれぞれ各ケース５０，６０，７０，８０に収容されたことで、各電子機器に直接触れることなく組み付け作業を行うことができ、各電子機器の破損を防止できる。なお、図柄制御基板９１、音声制御基板９２及びサブ制御基板９５が本発明の「遊技機構成部材」及び「電気的遊技部材」に相当する。図柄制御基板９１は、サブ制御基板９５より送信される制御信号を受信して作動し表示装置３２を制御している。
【００４１】
以下、各ケース５０，６０，７０について詳説する。なお、以下の説明における前後方向はパチンコ遊技機１０の前後方向（本発明の「ケース重ね合わせ方向」に相当する）を示し、上下左右の方向はパチンコ遊技機１０を後側からみた場合の上下左右の方向を示すこととする。
【００４２】
液晶ケース体５０は、図４に示すように、遊技板１１の後面１１Ｒに固定された枠形ベース体５１と、液晶パネル３０を収容したカバー体５２とからなる。枠形ベース体５１は液晶パネル３０より一回り大きな矩形枠状をなし、遊技板１１の後面１１Ｒに宛がわれて固定されている。カバー体５２は、その枠形ベース体５１の後面側に前後方向に組み合わされている。また、枠形ベース体５１には、液晶パネル３０の画面３０Ｇとほぼ同じ大きさの表示開口５１Ａが形成されている。
【００４３】
図５に示すように、枠形ベース体５１のうち、遊技板１１の後面１１Ｒに突き当てられた前端縁には、薄板状をなした複数の取付部５１Ｄが形成されている。これら取付部５１Ｄを遊技板１１の後面１１Ｒに螺子止めすることで、枠形ベース体５１が遊技板１１を介してパチンコ遊技機１０に固定されている。また、枠形ベース体５１とカバー体５２とを合体固定するために、枠形ベース体５１の左右両辺には複数のベース側係合部５１Ｇが後方に向かって突出している。
【００４４】
カバー体５２は、枠形ベース体５１側（前方）に開放した扁平箱形構造をなしている。即ち、カバー体５２は、図４に示すように、矩形状の後面壁部５２Ａの外縁部から枠形ベース体５１に向けて囲壁５２Ｂが突出した構造をなしており、その内側に液晶パネル３０（図４には示されていない）が固定されている。また、カバー体５２を枠形ベース体５１に合体固定するために、カバー体５２の左右両辺には、ベース側係合部５１Ｇと凹凸係合する複数のカバー側係合部５２Ｇが側方に張り出している。
【００４５】
図６に示すように、カバー体５２のうち後面壁部５２Ａの上端寄り位置には、上辺と平行な段差部が形成され、この段差部より上方部分は前方にオフセットした放熱壁５２Ｃになっている。放熱壁５２Ｃの全体には、複数の放熱孔が形成され、これにより液晶パネル３０が発する熱を液晶ケース体５０の外部に放出可能となっている。また、放熱壁５２Ｃのうち下寄り位置で左右方向の中央には、ガイド壁５２Ｊが後方に向かって略垂直（即ち、略水平）に起立している。ガイド壁５２Ｊは、下側の壁面が基端部に向かうに従って下方に僅かに傾斜している。
【００４６】
後面壁部５２Ａの下端寄り位置には、下辺と平行な屈曲部が形成されており、屈曲部より下側部分が、下方に向かうに従って枠形ベース体５１に近づくように傾斜した傾斜壁５２Ｄになっている。また、傾斜壁５２Ｄと囲壁５２Ｂの下辺部とがなす角部には、稜線に沿って複数の通気孔５２Ｙが形成されている。
【００４７】
後面壁部５２Ａのうち放熱壁５２Ｃと傾斜壁５２Ｄとに挟まれた部分は、遊技板１１の後面１１Ｒに対して平行（即ち、略鉛直）な本発明に係るベース部５２Ｅとなっている。ベース部５２Ｅは略矩形状をなし、その下辺に沿ってスライドガイド部５３Ａが後方に向けて起立している。また、ベース部５２Ｅの右側部分には、その右辺に沿って位置決めリブ５３Ｂ（本発明の「移動規制部」に相当する）が後方に向かって起立している。このスライドガイド部５３Ａと位置決めリブ５３Ｂとは、ベース部５２Ｅの右下角部で直角に交わって接続している。
【００４８】
また、ベース部５２Ｅのうち左側部分には、前方（カバー体５２の内側）に陥没した陥没部５２Ｆが形成されている。その陥没部５２Ｆの上部及び下部は、カバー体５２の前面側に貫通したケーブル孔５２Ｈが形成されている。そして、スライドガイド部５３Ａの左端部は、下側のケーブル孔５２Ｈの後方に片持ち梁状に張り出して配置された係止爪５４となっている。係止爪５４は、スライドガイド部５３Ａより若干下側で水平に延びる水平片５４Ａと、水平片５４Ａの先端に設けられ下方に傾斜した傾斜片５４Ｂとからなる。傾斜片５４Ｂと水平片５４Ａとの接続部分は、水平片５４Ａから上方に突出した段差状になっており、その接続部分の上面はスライドガイド部５３Ａと面一になっている。
【００４９】
一方、位置決めリブ５３Ｂには、上下２箇所に矩形状のスライド結合孔５３Ｃ，５３Ｃ（本発明の「スライド係合機構」及び「スライド結合孔」に相当する）が貫通形成されている。上側のスライド結合孔５３Ｃは、下側のスライド結合孔５３Ｃよりも、その矩形開口の上下方向の長さが短くなっている。
【００５０】
そして、ベース部５２Ｅのうち右上寄り部分で位置決めリブ５３Ｂよりも左側の位置には、本発明にかかるケース挿通突部５５が設けられている。ケース挿通突部５５は、ベース部５２Ｅから後方に向かって突出した円柱形状をしており、その先端寄り部分には上方に向かって縮径する傾斜面５５Ａが形成されている。ケース挿通突部５５は、先端に螺子孔が形成されており、後述する第２ケース体７０の突部固定部７５に固定される部分となっている。
【００５１】
また、ベース部５２Ｅには、複数の連結孔５７（本発明の「スライド係合機構」及び「連結孔」に相当する）が形成されている。連結孔５７は、カバー体５２の後面壁部５２Ａを貫通して形成された左右方向に長い孔で、ベース部５２Ｅ上に例えば４つ設けられている。各連結孔５７は、ベース部５２Ｅ上で平行に形成されており、その左右方向の長さは等しくなっている。また、各連結孔５７は、ベース部５２Ｅ上において、それぞれが非対称な位置に配置されている。
【００５２】
次に第１ケース体６０について説明する。第１ケース体６０は、図４に示すように、カバー体５２のベース部５２Ｅに重ねて取り付けられている。図７に示すように、第１ケース体６０は、横長矩形で前後方向に薄くなった扁平箱形構造をなしている。第１ケース体６０の前面及び後面は、ベース部５２Ｅと略同一形状で平行（即ち略鉛直）な前側壁部６１Ａと後側壁部６２Ａとなっており、第１ケース体６０の上下左右の側面は、囲壁６０Ｂによって囲まれている。この前側壁部６１Ａ及び後側壁部６２Ａと囲壁６０Ｂとの角部には、全体に亘って複数の通気孔６０Ｙが設けられ、第１ケース体６０の内部に収容された図柄制御基板９１及び音声制御基板９２が発する熱を外部に排出可能になっている。
【００５３】
第１ケース体６０の右側の囲壁６０Ｂからは、第１ケース体６０の右方に張り出したスライド係合突部６９，６９（本発明の「スライド係合機構」及び「スライド係合突部」に相当する）が上下２箇所に設けられている。これらスライド係合突部６９，６９は、上記した位置決めリブ５３Ｂのスライド結合孔５３Ｃ，５３Ｃと対応する位置に配置されており、上側のスライド係合突部６９は、下側のスライド係合突部６９よりも上下方向の長さが短くなっている。そして、右側の囲壁６０Ｂと位置決めリブ５３Ｂとを当接させると、スライド結合孔５３Ｃ，５３Ｃにスライド係合突部６９，６９が挿入可能になっている。なお、上側のスライド結合孔５３Ｃは、上側のスライド係合突部６９が丁度挿入可能な大きさとなっており、上側のスライド係合突部６９よりも上下方向に長い下側のスライド係合突部６９を誤って上側のスライド結合孔５３Ｃに挿入しようとしても、挿入されない構造になっている。
【００５４】
また、第１ケース体６０の前側壁部６１Ａには、その前面側に複数の連結フック６７（本発明の「スライド係合機構」及び「連結フック」に相当する）が設けられている。連結フック６７は、図８に示すように、前側壁部６１Ａから前方に突出し先端がクランク状に右側に曲がっている。この連結フック６７は、上記したベース部５２Ｅの連結孔５７に対応する位置に配置され、連結フック６７の全体が連結孔５７に挿入可能となっている。なお、連結孔５７はベース部５２Ｅ上で非対称に配置されているので、第１ケース体６０をベース部５２Ｅに取り付ける際に、第１ケース体６０がベース部５２Ｅに対して正規の位置に配置されていない場合には、全ての連結フック６７が連結孔５７に挿入されない構造になっている。
【００５５】
第１ケース体６０の下側の囲壁６０Ｂの左寄り位置からは、図７に示すように、下方に向かって三角突部６４が突出している。三角突部６４の右側には右方に向かうに従って囲壁６０Ｂ側に近づく傾斜面６４Ａが形成されており、三角突部６４の左側には囲壁６０Ｂから下方に向かって垂直な係止面６４Ｂが形成されている。
【００５６】
そして、第１ケース体６０には、第１ケース体６０を前後方向に貫通した突部挿通部６５が形成されている。図９は第１ケース体６０のち突部挿通部６５の部分を拡大した図である。突部挿通部６５は、第１ケース体６０の右側部を切り欠き状に形成した溝状の孔で、右側には側面開口６５Ａが形成されている。その内部には挿通部内壁６５Ｂによって上下方向及び左方を囲まれたケース貫通空間６５Ｃが形成されている。また、突部挿通部６５は第１ケース体６０のうちベース部５２Ｅのケース挿通突部５５に対応する部分に形成されている。第１ケース体６０をベース部５２Ｅに固定した状態では、ベース部５２Ｅのケース挿通突部５５は、突部挿通部６５内のケース貫通空間６５Ｃを貫通し、その先端が第１ケース体６０の後方に突出する。
【００５７】
また、第１ケース体６０は、図７に示すように、前側第１ケース６１と後側第１ケース６２とを前後方向に組み合わせてなる。第１ケース体６０には、これら前側第１ケース６１と後側第１ケース６２とを係止するための側方係止部６０Ｄが設けられている。側方係止部６０Ｄは第１ケース体６０の上下左右の側面に各１箇所ずつ設けられ、上側と下側の側方係止部６０Ｄは第１ケース体６０の右寄り位置にそれぞれ配置されている。これにより、仮に前側第１ケース６１と後側第１ケース６２とを組み合わせる際に、方向を間違えて組み合わせても係止されない構造になっている。
【００５８】
図１０には第１ケース体６０を分解した状態が示されている。第１ケース体６０の内部では、右側に図柄制御基板９１が、左側に音声制御基板９２が左右に並べて収容されている。図柄制御基板９１及び音声制御基板９２は、それぞれ長方形状をなし、上下方向の長さは第１ケース体６０の前側壁部６１Ａの上下方向の長さと略同一の長さになっている。図柄制御基板９１と音声制御基板９２との間は、基板コネクタ９１Ｂで接続されており、両基板９１，９２には図示しないＣＰＵ、ＲＡＭ、ＲＯＭ等の電子部品が実装されている。また、図柄制御基板９１の右端の下寄り部分には、演出データ基板９３が取り付けられ、上下端部には他の制御基板との間でハーネスを接続するためのケーブルコネクタ９１Ｃが実装されている。第１ケース体６０の後側第１ケース６２には、その上部及び下部が一部陥没して複数のハーネス接続孔６０Ｃが設けられており、これらハーネス接続孔６０Ｃを通して図示しないハーネスの末端に備えられたコネクタが、図柄制御基板９１のケーブルコネクタ９１Ｃに接続されている。
【００５９】
ところで、第１ケース体６０の内部は、図１１に示すように、大空間部屋６０Ｌと小空間部屋６０Ｍとに区画され、その大空間部屋６０Ｌと小空間部屋６０Ｍとの間には空間区画壁６０Ｎが設けられている。空間区画壁６０Ｎは水平方向の壁部と垂直方向の壁部とからなり、第１ケース体６０の右上部分の空間を分断している。この大空間部屋６０Ｌには、図柄制御基板９１及び音声制御基板９２が収容されている。また、小空間部屋６０Ｍには、上記した突部挿通部６５のケース貫通空間６５Ｃが前後方向に貫通して設けられている。
【００６０】
第１ケース体６０のうち前側第１ケース６１には、図１０に示すように、大空間部屋６０Ｌ内に複数の基板支持支柱６１Ｓが設けられている。各基板支持支柱６１Ｓの先端面は面一となっており、その先端面は図柄制御基板９１及び音声制御基板９２に当接し各基板９１，９２を位置決めしている。一方、前側第１ケース６１に対向する後側第１ケース６２からは、基板支持支柱６１Ｓに向かって図示しない基板抑え支柱が延び、各基板９１，９２に後方から当接して前後方向に規制している。また、前側第１ケース６１には、大空間部屋６０Ｌ内に空間区画壁６０Ｎの上下方向の壁部に対応する基板支持壁６１Ｔが設けられている。基板支持壁６１Ｔには、その先端寄り位置に基板支持支柱６１Ｓの先端面と面一な段差面が設けられ、図柄制御基板９１を位置決めしている。さらに、囲壁６０Ｂの内壁には、基板支持支柱６１Ｓの先端面と面一な段差面が形成されており、各基板９１，９２を位置決めしている。
【００６１】
空間区画壁６０Ｎは、第１ケース体６０のうち後側第１ケース６２に設けられている。図９に示すように、突部挿通部６５は、左方及び下方に空間区画壁６０Ｎが隣接し、上方には囲壁６０Ｂが配置されている。上述したように、ケース貫通空間６５Ｃは上下及び左方向を挿通部内壁６５Ｂによって囲まれており、これに加えて空間区画壁６０Ｎによって囲まれているので、突部挿通部６５の強度がより増加されている。
【００６２】
さて、第１ケース体６０の後方には、第２ケース体７０が取り付けられる。図７に示すように、第１ケース体６０の後側壁部６２Ａのうち上下のハーネス接続孔６０Ｃの間で右寄り位置は第２ケース体設置部６２Ｓとなっており、その第２ケース体設置部６２Ｓの右上部分は突部挿通部６５に隣接している（図１５参照）。また、第２ケース体設置部６２Ｓの左端部分には、２つの保持突部６６，６６（本発明の「ケース間固定部」に相当する）が後方に向かって突出している。そして、各保持突部６６の右側面には、右方に向かって開放したケース間係合孔６６Ａが形成されている。このケース間係合孔６６Ａには、後述する第２ケース体のケース間係合突部７６が挿入され、第１ケース体６０と第２ケース体７０とを係止可能にしている。なお、後側壁部６２Ａのうち第２ケース体設置部６２Ｓ以外の部分には、複数の通気孔６２Ｚが形成されている。通気孔６２Ｚにより、第１ケース体６０の内の図柄制御基板９１及び音声制御基板９２が発する熱は外部に排出可能になっている。
【００６３】
第２ケース体７０は、図１２に示すように、前後方向に薄くなった扁平構造をなし、内部に収容されたサブ制御基板９５のケーブルコネクタ９５Ｄ等が、後面壁に形成された複数の矩形開口７１Ｗを介して、第２ケース体７０の外部に露出している。そして、図示しないハーネスの末端に備えられたコネクタが、ケーブルコネクタ９５Ｄに接続され、図柄制御基板９１や他の制御基板又は制御装置等に繋げられている。
【００６４】
第２ケース体７０のうち左端部には、図１５に示すように、左方に向かって突出した２つのケース間係合突部７６，７６（本発明の「ケース間固定部」に相当する）が設けられている。ケース間係合突部７６は、第２ケース体７０のうち前側の壁面と面一となる面を有しており、上記した第１ケース体６０のケース間係合孔６６Ａに右方から挿入して係合している。
【００６５】
第２ケース体７０のうち右側端部の上方寄り位置からは、側方に向かって突部固定部７５が突出している。突部固定部７５には、カバー体５２のケース挿通突部５５の先端の形状に対応した円柱状の凹部を有する支柱先端支持部７５Ａが形成されており、その支柱先端支持部７５Ａには、螺子孔７５Ｂが貫通形成されている。そして、支柱先端支持部７５Ａをケース挿通突部５５の先端に係合すると共に、螺子止めすることで第２ケース体７０がカバー体５２に固定されている。
【００６６】
本実施形態のパチンコ遊技機１０に係る構成に関する説明は以上である。次に、本実施形態のパチンコ遊技機１０の作用効果について説明する。パチンコ遊技機１０の製造工程において、第１ケース体６０及び第２ケース体７０は、液晶ケース体５０のカバー体５２に以下のようにして組み付けられる。
【００６７】
第１ケース体６０を、カバー体５２のベース部５２Ｅに組み付ける際には、まず、図１３に示すように、ケース挿通突部５５をケース貫通空間６５Ｃの側面開口６５Ａの外側から左右方向で対向する位置に第１ケース体６０をベース部５２Ｅに重ね合わせる。すると、連結フック６７が連結孔５７に全て挿入される。
【００６８】
連結フック６７が連結孔５７に挿入した状態で、第１ケース体６０をベース部５２Ｅに対して左方から右方に移動させる。連結孔５７は左右方向に延びているので、連結フック６７は上下方向への動きを規制されながら移動することになる。そして、連結フック６７の先端部が連結孔５７の奥部に係止されると、第１ケース体６０がベース部５２Ｅに対して上下方向及び前後方向で離脱不能に固定される。これにより、第１ケース体６０は、各連結フック６７によって支えられることになる。なお、第１ケース体６０をベース部５２Ｅに対してスライドさせる左右方向が本発明の「第１直交方向」に相当し、連結フック６７が連結孔５７に固定された状態での第１ケース体６０のベース部５２Ｅにおける位置が本発明の「第１ケース固定位置」に相当する。
【００６９】
また、この第１ケース固定位置に第１ケース体６０が移動すると、第１ケース体６０のスライド係合突部６９が、位置決めリブ５３Ｂのスライド結合孔５３Ｃに挿入される。これにより、第１ケース体６０がベース部５２Ｅに対して前後方向で離脱不能に固定される。
【００７０】
さらに、第１ケース体６０をベース部５２Ｅに対して左方から右方に移動させる際に、第１ケース体６０はベース部５２Ｅのスライドガイド部５３Ａによって案内され、第１ケース体６０が第１ケース固定位置に移動したときに位置決めリブ５３Ｂに当接する（図１４参照）。第１ケース体６０が右方に移動する過程で、係止爪５４の傾斜片５４Ｂは、三角突部６４の傾斜面６４Ａに当接し、係止爪５４の水平片５４Ａが下側に弾性変形する。第１ケース体６０をさらに移動させると、傾斜片５４Ｂが三角突部６４の頂上を越えて水平片５４Ａが弾性復元し、三角突部６４の係止面６４Ｂが、係止爪５４の傾斜片５４Ｂと水平片５４Ａとの間の段差面に当接して係止される。ここで、水平片５４Ａが弾性復元する位置は、第１ケース固定位置と略同一となっている。これにより、第１ケース体６０は位置決めリブ５３Ｂと係止爪５４とによって左右方向の動きが規制される。
【００７１】
そして、ケース挿通突部５５は、第１ケース体６０が第１ケース固定位置に移動すると、側面開口６５Ａからケース貫通空間６５Ｃの奥部に受容される。このように、ベース部５２Ｅと第１ケース体６０とを組み付ける際には、第１ケース体をベース部に対して右方向に移動させると、連結フック６７と連結孔５７、スライド係合突部６９とスライド結合孔５３Ｃ、及び、係止爪５４と三角突部６４によってベース部５２Ｅと第１ケース体６０とが固定されると共に、ケース挿通突部５５がケース貫通空間６５Ｃの奥部に受容される。即ち、本発明によれば、ベース部５２Ｅと第１ケース体６０との固定作業と、ケース挿通突部５５とケース貫通空間６５Ｃへの受容作業とを同時に行うことができ、作業効率が向上する。
【００７２】
なお、ベース部５２Ｅと第１ケース体６０との固定を解除する際には、係止爪５４と三角突部６４との係止を外して第１ケース体６０を左方向に移動させると、連結フック６７と連結孔５７の係止、及び、スライド係合突部６９とスライド結合孔５３Ｃの係止が解除される。これにより、ベース部５２Ｅと第１ケース体６０との固定の解除作業を容易に行うことができる。
【００７３】
次に、第２ケース体７０をベース部５２Ｅ及びベース部５２Ｅに取り付けた第１ケース体６０に組み付ける際には、図１５に示すように、第２ケース体７０を第１ケース体６０に対して右方から左方に向けてスライドさせて、第１ケース体６０のケース間係合孔６６Ａに第２ケース体７０のケース間係合突部７６を挿入して係合する。
【００７４】
また、第２ケース体７０は、ベース部５２Ｅのケース挿通突部５５の先端に、突部固定部７５を宛がって螺子止め固定される。図１６及び図１７に示すように、ベース部５２Ｅ、第１ケース体６０、第２ケース体７０は前後方向に重なって組み付けられる。即ち、第２ケース体７０は、第１ケース体６０との間でケース間係合孔６６Ａとケース間係合突部７６とによって固定されるのみならず、ベース部５２Ｅのケース挿通突部５５と突部固定部７５とによっても固定されている。これにより、第１ケース体６０と第２ケース体７０との間にかかる負荷は、第１ケース体６０のケース間係合孔６６Ａ及びベース部５２Ｅのケース挿通突部５５によっても支えられる。このように、第２ケース体７０を、第１ケース体６０によって支えるとともに、ベース部５２Ｅによっても支えることができるので、負荷を分散することができるとともに、より確実に第２ケース体７０をパチンコ遊技機１０に固定することが可能となる。
【００７５】
一方、ベース部５２Ｅと第１ケース体６０との間にかかる負荷は、連結フック６７と連結孔５７、スライド係合突部６９とスライド結合孔５３Ｃ、及び、位置決めリブ５３Ｂと係止爪５４によって支えられている。また、第１ケース体６０は下方からスライドガイド部５３Ａの全体によっても支えられている。さらに、第１ケース体６０の後面に固定される第２ケース体７０によって、後面側からも支えられている。このように、第１ケース体６０は、第１ケース体６０に対して異なる方向、即ち、前方、右方、下方及び後方から支えられている。これにより、第１ケース体６０とベース部５２Ｅとの間にかかる負荷を分散させることができる。
【００７６】
また、ケース挿通突部５５の突部挿通部６５へ挿通される方向は前後方向であり、ベース部５２Ｅと第１ケース体６０とが係合される方向、及び、第２ケース体７０と第１ケース体６０とが係合される方向は左右方向であるので、それぞれの方向が互いに直交し、ベース部５２Ｅと第１ケース体６０との係止が緩んで外れる虞を低減することができる。
【００７７】
なお、第２ケース体７０は、ベース部５２Ｅに対して第１ケース体６０が正規の位置で固定されない場合には、固定できない構成になっている。即ち、ベース部５２Ｅと第１ケース体６０との重ね合わせ面に複数備えた連結フック６７のうちの何れかの連結フック６７が連結孔５７に挿入されないので、ベース部５２Ｅと第１ケース体６０とを重ね合わせてスライドすることができない。そして、ベース部５２Ｅと第１ケース体６０とをスライドさせないと、ケース挿通突部５５とケース間係合孔６６Ａの位置関係がずれて第２ケース体７０を固定することができなくなる。これにより、第１ケース体６０をベース部５２Ｅに固定し忘れる事態を防止することができる。
【００７８】
また、本発明では第１ケース体６０に貫通形成されたケース貫通空間６５Ｃに、第２ケース体７０とベース部５２Ｅとを固定するためのケース挿通突部５５が受容される。第１ケース体６０内ではケース貫通空間６５Ｃの下方の空間には演出データ基板９３が収容されているので、ベース部５２Ｅのうちケース挿通突部５５の周囲のスペースの有効利用が図られており、各ケース体をよりコンパクトに重ねて配置することができる。
【００７９】
そして、液晶ケース体５０に収容された液晶パネル３０は、第１ケース体６０に収容された図柄制御基板９１によって制御されている。図柄制御基板９１は、第２ケース体７０に収容されたサブ制御基板９５に制御されて作動している。本実施形態のように、各ケース５０，６０，７０に収容された電気的遊技部材を重ねて配置すれば各電気的遊技部材の間を繋ぐケーブルを短くすることができるとともに、各ケース５０，６０，７０の配置スペースもコンパクトにすることが可能となる。
【００８０】
このように、本実施形態のパチンコ遊技機１０によれば、第２ケース体７０は、第１ケース体６０のケース間係合孔６６Ａによって固定されるだけでなく、第１ケース体６０を貫通する突部挿通部６５に挿通したケース挿通突部５５によっても固定されているので、第１ケース体６０とベース部５２Ｅとの間にかかる負荷を低減させることが可能となる。これにより、第１ケース体６０とベース部５２Ｅとの間の固定部が変形して、第２ケース体７０と共に第１ケース体６０から外れる事態を低減することが可能となる。
【００８１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、遊技機としてパチンコ遊技機１０を例示したが、アレンジボールのような弾球遊技機であってもよいし、スロットマシンのような非弾球遊技機であってもよい。
【００８２】
（２）前記実施形態では、液晶パネル３０を収容した液晶ケース体５０の後方に配置した第１ケース体６０及び第２ケース体７０に本発明を適用したが、複数のケース体が重なって固定された構造であれば、その他のケースに適用してもよい。
【００８３】
（３）前記実施形態では、ベース部５２Ｅにケース挿通突部５５を設けたが、第２ケース体７０側にケース挿通突部を設けベース部５２Ｅ側で固定する構成にしてもよい。また、ベース部５２Ｅ及び第２ケース体７０の双方からケース挿通突部を突出させて、中間位置で接続した構造にしてもよい。例えば、第１ケース体６０のケース貫通空間６５Ｃ内で接続した構造にしてもよい。第２ケース体７０にケース挿通突部を設ける場合には、ベース部５２Ｅに第２ケース体７０を固定した後でベース部５２Ｅと第２ケース体７０との間に側方から第１ケース体６０を差し込んで固定するとよい。
【００８４】
（４）前記実施形態では、突部挿通部６５及びケース挿通突部５５を各１つ備えた構成としたが、突部挿通部及びケース挿通突部を各２つ以上備えた構成にしてもよい。例えば、図１８に示すように、突部挿通部を第１ケース体６０の右側部の上下方向に２つ備えた構成にしてもよい。
【００８５】
（５）前記実施形態では、ベース部５２Ｅに連結孔５７を設け、第１ケース体６０に連結フック６７を設けたが、ベース部５２Ｅに連結フックを設け、第１ケース体６０に連結孔を設けてもよい。
【００８６】
（６）前記実施形態では、位置決めリブ５３Ｂにスライド結合孔５３Ｃを設け、第１ケース体６０にスライド係合突部６９を設けたが、位置決めリブ５３Ｂにスライド係合突部を設け、第１ケース体６０にスライド結合孔を設けてもよい。
【００８７】
（７）前記実施形態では、第１ケース体６０に保持突部６６及びケース間係合孔６６Ａを設け、第２ケース体７０にケース間係合突部７６を設けたが、第１ケース体６０にケース間係合突部を設け、第２ケース体７０に保持突部及びケース間係合孔を設けてもよい。
【００８８】
（８）ベース部５２Ｅにケース挿通突部５５とは別に第２ケース体７０に固定されるケース固定突部５６を設けてもよい。図１９に示すように、ケース固定突部５６をベース部５２Ｅの上端縁部に設けて第２ケース体７０を固定すれば、第１ケース体６０とベース部５２Ｅとの間にかかる負荷を分散することができると共に、より確実にベース部５２Ｅと第２ケース体７０とを固定することができる。
【００８９】
（９）前記実施形態では、カバー体５２の一部に本発明のベース部を設けたが、ベース部を設けるのはカバー構造の部材に限られない。ケース体を固定可能な壁面を有している部材であれば、例えば遊技板１１や機構板４９であってもよい。
【００９０】
（１０）本発明の電気的遊技部材は、前記実施形態のような液晶パネル３０や図柄制御基板９１等の基板に限られず、例えばモータやソレノイド等の電気的駆動部品であってもよい。
【図面の簡単な説明】
【００９１】
【図１】本発明の一実施形態に係るパチンコ遊技機の正面図
【図２】遊技機の後面図
【図３】遊技板の後面図
【図４】遊技板、液晶ケース体、第１ケース体、第２ケース体の分解斜視図
【図５】枠形ベース体の後面図
【図６】カバー体の斜視図
【図７】第１ケース体の斜視図
【図８】第１ケース体の斜視図
【図９】第１ケース体の左上部分の拡大斜視図
【図１０】第１ケース体の分解斜視図
【図１１】第１ケース体内部の模式図
【図１２】第２ケース体の斜視図
【図１３】液晶ケース体と第１ケース体を組み付けた後面図
【図１４】液晶ケース体と第１ケース体を組み付けた後面図
【図１５】第１ケース体に第２ケース体を組み付ける方向を示した斜視図
【図１６】液晶ケース体、第１ケース体、第２ケース体を組み付けた後面図
【図１７】遊技板、液晶ケース体、第１ケース体、第２ケース体の側面図
【図１８】変形例（４）の第１ケース体を液晶ケース体に組み付けた後面図
【図１９】変形例（８）の液晶ケース体、第１ケース体、第２ケース体を組み付けた後面図
【符号の説明】
【００９２】
１０    パチンコ遊技機
１１    遊技板
３０    液晶パネル（電気的遊技部材）
５０    液晶ケース体
５２Ｅ    ベース部
５３Ａ    スライドガイド部
５３Ｂ    位置決めリブ（移動規制部）
５３Ｃ    スライド結合孔（スライド結合機構）
５４    係止爪
５５    ケース挿通突部
５６    ケース固定突部
５７    連結孔（スライド結合機構）
６０    第１ケース体
６０Ｌ    大空間部屋
６０Ｍ    小空間部屋
６０Ｎ    空間区画壁
６５    突部挿通部
６５Ｃ    ケース貫通空間
６６    保持突部（ケース間固定部）
６６Ａ    ケース間係合孔（ケース間固定部）
６７    連結フック（スライド結合機構）
６９    スライド係合突部（スライド結合機構）
７０    第２ケース体
７５    突部固定部
７６    ケース間係合突部（ケース間固定部）
９１    表示制御基板（遊技機構成部材、電気的遊技部材）
９２    音声制御基板（遊技機構成部材、電気的遊技部材）
９５    サブ制御基板（遊技機構成部材、電気的遊技部材）
【図１】
2008295639.tif 000003
【図２】
2008295639.tif 000004
【図３】
2008295639.tif 000005
【図４】
2008295639.tif 000006
【図５】
2008295639.tif 000007
【図６】
2008295639.tif 000008
【図７】
2008295639.tif 000009
【図８】
2008295639.tif 000010
【図９】
2008295639.tif 000011
【図１０】
2008295639.tif 000012
【図１１】
2008295639.tif 000013
【図１２】
2008295639.tif 000014
【図１３】
2008295639.tif 000015
【図１４】
2008295639.tif 000016
【図１５】
2008295639.tif 000017
【図１６】
2008295639.tif 000018
【図１７】
2008295639.tif 000019
【図１８】
2008295639.tif 000020
【図１９】
2008295639.tif 000021